【手続補正書】
【提出日】平成18年11月29日(2006.11.29)
【手続補正１】
【補正対象書類名】明細書
【補正対象項目名】全文
【補正方法】変更
【補正の内容】
【書類名】明細書
【発明の名称】      光エンジン
【特許請求の範囲】
【請求項１】  光源を収納するハウジングと、光源から発生した放射を指向する光学系とを具える光エンジンにおいて、
前記光源は、光源の動作中に少なくとも５ｌｍの光束を有する少なくとも１個のＬＥＤを具え、
当該光エンジンには、前記ＬＥＤを駆動する駆動電子回路が設けられていることを特徴とする光エンジン。
【請求項２】  前記ＬＥＤが金属コアプリント回路基板に装着されていることを特徴とする請求項１に記載の光エンジン
【請求項３】  前記ハウジングは金属で作られると共に冷却フィンが設けられ、
前記金属コアプリント回路基板が熱伝導性接続部を介して前記金属のハウジングと接触していることを特徴とする請求項２に記載の光エンジン。
【請求項４】  前記金属コアプリント回路基板が強制空気冷却により冷却されることを特徴とする請求項２に記載の光エンジン。
【請求項５】  前記光源が複数個のＬＥＤを具え、
前記光学系が複数個のサブレンズから構成されるコリメータレンズを具え、各サブレンズの光軸が前記複数のＬＥＤのうちの１個のＬＥＤの光軸と一致していることを特徴とする請求項１又は２に記載の光エンジン。
【請求項６】  前記光源が複数個のＬＥＤを具え、
前記光学系が複数個のコリメータ素子を具え、各ＬＥＤが１つのコリメータ素子と関連し、前記各ＬＥＤの光軸が関連するコリメータ素子の光軸と一致していることを特徴とする請求項１又は２に記載の光エンジン。
【請求項７】  前記コリメータ素子の部分が内部全反射することを特徴とする請求項６に記載の光エンジン。
【請求項８】  前記コリメータ素子のＬＥＤと対向しない側の面が湾曲していることを特徴とする請求項６に記載の光エンジン。
【請求項９】  前記ＬＥＤと、関連するコリメータ素子とが亀甲状の組立体として配置されていることを特徴とする請求項６に記載の光エンジン。
【請求項１０】  前記光学系が集束性レンズを具えることを特徴とする請求項１又は２に記載の光エンジン。
【請求項１１】  前記集束性レンズをフレネルレンズとなるように構成したことを特徴とする請求項１０に記載の光エンジン。
【請求項１２】  前記駆動電子回路が、ＬＥＤの光束を変える手段を具えることを特徴とする請求項１又は２に記載の光エンジン。
【請求項１３】  前記光源が複数個のＬＥＤを具え、
前記光源が異なる波長の放射を発生するＬＥＤを具え、
前記駆動電子回路が、前記ＬＥＤの光束間の比率を調整する手段を具えることを特徴とする請求項１又は２に記載の光エンジン。
【発明の詳細な説明】
【０００１】
本発明は、光源を収納するハウジングと、光源から発生した放射を指向する光学系とを具える光エンジンに関するものである。
【０００２】
このような光エンジンは既知である。これらの光エンジンは、一般的な照明の目的のため、いわゆる符号及び輪郭照明のために、例えばダイナミックに又は静的に交通量を制御する道路マーキング装置の交通光又は交通制御システムのような信号照明のために用いられる。さらに、このような光エンジンは投影照明及び光ファイバ照明にも用いられている。
【０００３】
冒頭部で述べた型式の光エンジンは米国特許第５８０３５７５号明細書から既知である。この既知の光エンジンには、高圧ハロゲン化金属ランプの形態の光源が設けられている。このランプから発生した放射は、反射器及び集束レンズの形態の光学系を介して光ファイバ束の端部に入射する。
【０００４】
既知の光エンジンの欠点は、動作中に用いる光源からＩＲ放射の形態の大量の熱を放出することである。さらに、既知のランプから比較的大量のＵＶ放射が発生する。結果として、反射器及び集束レンズを合成樹脂から作ることが不可能であることが判明した。光学系のこれらの素子を合成樹脂材料で作る場合、これらの素子はＵＶ放射の作用により劣化し及び／又はＩＲ放射の作用により溶融することが判明している。従って、反射器及び集束性レンズは通常ガラスで作られている。合成樹脂の素子と比較して、この用途のために望まれる寸法精度を有するガラスの光学素子は比較的高価である。
【０００５】
本発明の目的は、上述した欠点を解消することにある。特に、本発明野の目的は、光源から発生した放射を指向する光学系の素子を合成樹脂材料で作ることができる光発生器を提供することにある。
【０００６】
これらの及び他の目的は、光源を収納するハウジングと、光源から発生した放射を指向する光学系とを具える光エンジンにおいて、前記光源は、光源の動作中に少なくとも５ｌｍの光束を有する少なくとも１個のＬＥＤを具え、当該光エンジンには、前記ＬＥＤを駆動する駆動電子回路が設けられていることを特徴とする光エンジン光エンジンにより達成される。
【０００７】
本発明は、光放出ダイオード（ＬＥＤ）はガス放電ランプ又はハロゲンランプよりもはるかに少量の放射熱及び／又はＵＶ光を発生するという認識に基づいている。従って、ＬＥＤは光エンジンに用いるのに極めて好適である。投影照明及び光ファイバ照明のような所望の用途にたいして、光エンジンのＬＥＤの光束は十分に高く、すなわち５ｌｍ又はそれ以上にする必要がある。本発明による光エンジンのＬＥＤは、ＵＶ及び／又はＩＲ放射を全く又はほとんど放出しないように選択することができるので、光発生器の光学系を合成樹脂材料で製造することが可能になる。この観点において、ポリメチルメタクリレート（ＰＭＭＡ）の光学系を用いて良好な結果が達成された。
【０００８】
原理的に、単一のＬＥＤが設けられている単色光エンジンを製造することが可能である。実際に、多くの場合、光エンジンの光源として複数のＬＥＤを有する基板が用いられる。光エンジンの所望の色が種々の型式のＬＥＤの色を混合することによってだけ得られる場合、この構成は特に好適である。
【０００９】
ＬＥＤを用いる別の利点は、光源の小型化、比較的長い寿命、並びにエネルギーコスト及びＬＥＤを有する光エンジンの保守のコストが比較的安価なことである。ＬＥＤを用いることは、ダイナミックな照明の可能性が得られる利点を有する。種々の型式のＬＥＤが組み合わされ及び／又は種々のカラーのＬＥＤが用いられる場合、所望の方法でカラーを混合することができ、いわゆるカラーホイールを必要とすることなくカラー変化を行なうことができる。所望の色効果は適当な駆動電子回路を用いることにより達成される。さらに、好適なＬＥＤの組み合わせにより、白色光を得ることもでき、駆動電子回路により所望の色温度に調整でき、この色温度は光エンジンの動作中一定に維持される。
【００１０】
本発明による光エンジンの好ましい好適実施例は、ＬＥＤが金属コアプリント回路基板に装着されていることを特徴とする。１個又は複数個のＬＥＤが金属コアプリント回路基板（ＭＣ−ＰＣＢ）上に設けられている場合、ＬＥＤから発生した熱は、ＰＣＢを介して熱伝導により容易に放出することができる。
【００１１】
光エンジンの重要な実施例は、ハウジングは金属で作られると共に冷却フィンが設けられ、金属コアプリント回路基板が熱伝導性接続部を介して金属のハウジングと接触していることを特徴とする。この熱伝導性接続部は、金属ハウジングに連結した金属プレート上にＭＣ−ＰＣＢを装着することにより好ましく実現される。この実施例において、１個のＬＥＤ又は複数個のＬＥＤから発生した熱は、ＭＣ−ＰＣＢ及び金属プレートを介する（熱）伝導によりハウジング及び冷却フィンに放散され、その後外部に放散される。この利点は、熱を放出するための強制空気冷却が不要になることである。
【００１２】
本発明による光エンジンの別の重要な実施例は、金属コアプリント回路基板が強制空気冷却により冷却されることを特徴とする。この実施例において、光エンジンの動作中例えばハウジング内に組み込まれているファンによりハウジング内に空気流が発生し、この空気流は、例えばＭＣ−ＰＣＢに向けて流れる。この場合、ハウジングは合成樹脂で作ることができる。前述したように、強制空気冷却と熱伝導による熱の除去とを組み合わせることが可能である。
【００１３】
本発明による光エンジンの好適実施例は、光源が複数個のＬＥＤを具え、
前記光学系が複数個のサブレンズから構成されるコリメータレンズを具え、各サブレンズの光軸が前記複数のＬＥＤのうちの１個のＬＥＤの光軸と一致していることを特徴とする。
【００１４】
この光学的な構成により、複数のＬＥＤからの光は満足し得るように集束する。コリメータレンズのサブレンズは、好ましくは相互連結する。実際には、コリメータレンズは合成樹脂材料（例えば、ＰＭＭＡ）の光学的に透明なプレートとなるように構成され、個別のサブレンズ（各ＬＥＤについて１個のレンズ）は射出成形により形成する。
【００１５】
本発明による光エンジンの好ましい変形例は、光源が複数個のＬＥＤを具え、
前記光学系が複数個のコリメータ素子を具え、各ＬＥＤが１つのコリメータ素子と関連し、前記各ＬＥＤの光軸が関連するコリメータ素子の光軸と一致していることを特徴とする。このように構成することにより、ＬＥＤと関連するコリメータ素子とを１個の一体化した素子としてみなすことができ、この組合せは、光エンジンの製造においてコリメータ素子と関連するＬＥＤの組立体の構成ブロックとして有効に用いことができる。３個のＬＥＤと３個の関連するコリメータ素子との組合せを一体化されたモジュールとして用いることは一層有益であり、この場合各コリメータ素子は亀甲状の構造を有することによりコリメータ素子を容易に相互連結することができる。
【００１６】
本発明による光エンジンの別の好適実施例は、コリメータ素子の部分が内部全反射することを特徴とする。このようにすると、ＬＥＤから発生する光は光学系により単一の方向に放出される。結果として、ＬＥＤの予め定めた特定の方向の光出力が増加する。好ましくは、内部（全）反射と屈折との組合せを呈するコリメータ素子を用いる。
【００１７】
本発明による光エンジンの別の好適実施例は、コリメータ素子のＬＥＤと対向しない側の面が湾曲していることを特徴とする。この湾曲の結果として、機能が低下することなく、コリメータ素子の寸法が小さくなる。これにより、材料が少量となり、コストの節約が達成される。このようにして、高い効率を有し小型で比較的安価な光エンジンが得られ、光エンジンから一層大量の光が出射する（放出された光が光ファイバに入射する）ように光学系が設計される。
【００１８】
光エンジンの構成を簡単にするため、好ましくはＬＥＤ及び関連するコリメータ素子を亀甲状の組立体を構成するように配置する。これにより、光エンジンの小型化及び効率が増強される。
【００１９】
光エンジンの好適実施例において、光学系は集束性レンズも具える。好ましくは、光学系の集束性レンズはフレネルレンズとなるように構成する。この構成は光発生器の小型化に寄与する。このフレネルレンズは例えばＰＭＭＡのような合成樹脂で作ることが好ましく、この場合射出成形により所望の光フレネル構造体が得られる。
【００２０】
本発明による光エンジンの重要な実施例は、光エンジンの駆動電子回路がＬＥＤの光束を変える手段を具えることを特徴とする。このように構成することにより、光束を調整することができる。駆動電子回路は、一般にハウジング内に組み込むことができる。原理的には、駆動電子回路はハウジングの外部に配置することも可能である。
【００２１】
光エンジンの別の重要な実施例は、光源が複数個のＬＥＤを具え、
光源が異なる波長の放射を発生するＬＥＤを具え、
駆動電子回路が、前記ＬＥＤの光束間の比率を調整する手段を具えることを特徴とする。
【００２２】
この構成により、光エンジンから放出される光の色及び色温度を変化させることができる。適当な駆動電子回路を用いることにより、例えば一定の色温度の白色光を放出することが可能になる。
【００２３】
後述する実施例に基づき、本発明のこれらの及び他の概念について説明する。
【００２４】
図面は純粋に線図的なものであり、スケール通りに表現されていない。特に明瞭にするため、ある寸法は強く拡大されている。図面において、可能な限り同様な部材には同様な符号を付すことにする。
【００２５】
図１は本発明による光エンジンの第１実施例を示す。この光エンジンは金属の冷却フィン２が設けられている金属のハウジング１を具える。本例では、ハウジング及び冷却フィンはアルミニウムで作成した。ハウジング１の全体の寸法は１１ｃｍ×９ｃｍ×８ｃｍとする。
【００２６】
ハウジング１は、２１個のＬＥＤ３、３’..... の形態の光源を収納し、これらのＬＥＤは金属コアのプリント回路基板（ＭＣ−ＰＣＢ）４上に装着する。ＭＣ−ＰＣＢは例えば熱伝導性接着剤により金属プレート５上に設ける。金属プレート５はハウジング１と熱伝達性接触する。この構成により、ＬＥＤ３、３’..... から発生した熱は、ＭＣ−ＰＣＢ４、金属プレート５及び冷却フィンを有するハウジング１を経て外部に放散する。
【００２７】
「バラクーダ（Barracuda ）」型の赤及び青の「高効率、高出力」ＬＥＤ（Hewlett Packard ）を用いる。ＬＥＤ当たりの光束は、赤のＬＥＤの場合１０ｌｍであり、緑のＬＥＤについては１３ｌｍである。これらの高効率光出力ＬＥＤを用いることは、比較的少数のＬＥＤであっても所望の比較的高い光出力が得られる利点がある。これは、製造すべき光エンジンの小型化及び効率化に寄与する。
【００２８】
変形例として、「光効率、高出力」ＬＥＤとして「プロメテウス」型ＬＥＤ（Hewlett Packard ）が用いられ、そのＬＥＤ当たりの光束は赤のＬＥＤについては３５ｌｍであり緑のＬＥＤについては３０ｌｍである。
【００２９】
ハウジング１はＬＥＤ３、３’..... から発生した放射を指向する光学系も具える。図１の実施例において、この光学系は、光学的に透明な合成樹脂（ＰＭＭＡ）により成形された２１個のサブレンズ７，７’......から成るコリメータレンズ６を具える。２１個のサブレンズ７，７’......の各々は２１個のＬＥＤ３、３’..... の１つと関連し、関連するＬＥＤの放射を平行にする。この光学系は、この好適実施例において（正）のフレネルレンズとなるように構成した集束性レンズ８も具える。集束性レンズ８により、ＬＥＤ３、３’..... からサブレンズ７，７’の平行にされた放射は１点に向けて入射する。図面を明瞭にするため、ＬＥＤ３、３’..... から発生した光の光学系を通る光路は極めて線図的に示す。
【００３０】
ハウジング１には、１本のファイバ又は多数のファイバを着脱自在に連結するカップリングスリーブ９も具える。本発明はこの用途に限定されないことを強調する。開口１’は電気的接続ケーブルが通るように作用する。
【００３１】
ハウジング１は、ＬＥＤを駆動するために必要な駆動電子回路も設ける。本例では、この駆動電子回路はハウジング内のボックス１０内に含まれる。所望の場合、駆動電子回路はハウジングの外側に配置することもできる。
【００３２】
図２は本発明による光エンジンの第２の実施例の線図的断面図である。この実施例は合成樹脂材料（例えば、ポリプロペン）のハウジング２１を具え、このハウジングは１６個のＬＥＤ２２，２２’..... の第１の列及び１６個のＬＥＤ２３，２３’..... の第２の列の形態として構成した光源を収納する。また、本例では、「高効率高出力」のＬＥＤを用いる。第１の列のＬＥＤ２２，２２’....からほぼ６３０ｎｍ（赤の光）の波長を有する放射を発生し、第２の列のＬＥＤ２３，２３’..... からほぼ５３０ｎｍ（緑の光）の波長を有する放射を発生することができる。
【００３３】
第１の列のＬＥＤ２２，２２’....は第１のＭＣ−ＰＣＢ２４上に配置し、第２の列のＬＥＤ２３，２３’..... は第２のＭＣ−ＰＣＢ２５上に配置し、両方のＭＣ−ＰＣＢは互いに直角で延在する。両方のプリント回路基板は詳細に図示しない方法によりハウジング２１の壁部に固定する。両方のプリント回路基板２４，２５は強制空気冷却により冷却することができる。この目的のため、ファン２６により空気流をハウジング２１内に発生させることができる。空気流の満足できる供給及び排出を確実にするため、ハウジングに通風孔（図２において図示せず）を設ける。
【００３４】
ハウジング２１には、所謂ダイクロイックミラー２７も設ける。このミラーは両方のＭＣ−ＰＣＢの法線に対して４５°の角度で配置する。このミラーは、赤の光には透明であるが緑の光を反射する形式のものとする。赤及び緑の光は、ＬＥＤ２２，２２’....及び２３，２３’..... 並びにダイクロイックミラー２７の位置決めにより出射点２８に向けて案内される。
【００３５】
ダイクロイックミラー２７を有する上述した構成は、ほぼ同一波長の（例えば、ほぼ６３０ｎｍとほぼ６１０ｎｍ）カラー光を結合するために用いることもできる。このようにして、効率の高い方法で増大した光束を得ることができる。所望の場合、第２のダイクロイックミラー（図示せず）及び青のＬＥＤの第３の列（いずれも図示せず）により青の光を出射点２８に向けて案内することができるので、本発明による光エンジンを用いて白色光を発生することができる。
【００３６】
図２に示すように、本発明の光エンジンは各ＬＥＤの光ビームを１点に集束させる２個の光学系も具える。ＭＣ−ＰＣＢ２４上に配置したＬＥＤ２２，２２’....から発生した放射はＡ点に集束し、ＭＣ−ＰＣＢ２５のＬＥＤ２３，２３’..... から発生した放射はＢ点に集束する（ミラー２７がない場合）。
【００３７】
この光発生器は駆動電子回路（図２において図示せず）も具え、ＬＥＤ２２，２２’....及び２３’，２３’..... を駆動する。この場合、光エンジンの駆動電子回路は、互いに異なるＬＥＤ２２，２２’....及び２３’，２３’..... の輝度光束を互いに相違させる手段を含む。このように構成することにより、ハウジングから発生する光の全体のカラーを赤と緑との間で調整することができる。
【００３８】
本発明による光エンジンの第３の実施例において、光学系は複数のコリメータ素子を具え、各ＬＥＤは１つのコリメータ素子と関連させ、各ＬＥＤの光軸は関連するコリメータ素子の光軸と一致させる。
【００３９】
ＬＥＤ３３と関連するコリメータ素子３７を有するＬＥＤ３３の断面図である。ＬＥＤ３３は光軸３１を有し、動作中光を放出する本体３５を具える。図３の実施例において、ＬＥＤ３３の本体３５には例えばレンズの形態の透明容器３５’を設ける。コリメータ素子３７はＬＥＤ３３の光軸と一致する光軸３１’を有する。コリメータ素子３７の形状は、ＬＥＤ３３から発生する光が光学系からコリメータ素子の光軸３１’に平行に出射するように選択する。このように構成することにより、ＬＥＤ３３の強度は進行方向（光軸３１と平行）において増大する。このため、コリメータ素子の面３８，３８’は、ＬＥＤ３３から発生し面３８に入射した光が面３８’を通過した後平行光ビームを形成し、この光ビームがコリメータ素子３７の光軸３１’に平行に延在するように（屈折）適切に湾曲させる。さらに、コリメータ素子３７の面３９，３９’及び関連する面４０，４０’を適切に湾曲させ、ＬＥＤ３３から発生し面３９，３９’に入射した光は面４０，４０’の方向に全反射し、面４０，４０’を通過した後コリメータ素子３７の光軸３１’に平行に延在する平行光ビームを形成する（内部全反射）。
【００４０】
図４Ａ及び図４Ｂは、図３に示すコリメータ素子３７，３７’..... の組立体の表側の斜視図及び裏側の斜視図である。図面を明瞭にするため、コリメータ素子３７の光軸３１’は図４Ｂにおいて示す。コリメータ素子３７，３７’.....は基板４１に埋設され、この基板には多数の基板４１を結合する連結素子４３，４３’，４３''を設ける。基板４１は適切な形状とし、コリメータ素子３７，３７’..... を亀甲状に配置すると共に６個の基板が容易に結合されて図５に示す亀甲状構造を形成するようにする。この組合せにおいて、６個の連結素子４３''が図５の亀甲構造の中心を形成する。基板をハウジング６１内に装着するため（図６参照）、基板にはネジ溝が形成された開口４５を設ける。
【００４１】
図５は、図３に示す１８個のコリメータ素子３７，３７’..... からなる組立体５６、すなわち図４Ａ及び図４Ｂに示す６個の基板４１，４１’からなる組立体の側面を斜視図的に示す。明瞭にするため、連結素子は図５において図示されていない。コリメータ素子３７，３７’..... を基板４１，４１’に装着し、これらの基板は、コリメータ素子３７，３７’..... が亀甲構造に配置されるように結合する。ハウジング６１内に基板４１，４１’を装着するため（図６参照）、基板４１，４１’にはネジ溝が形成された開口４５，４５’を設ける。
【００４２】
図面を明瞭にするため、図４Ａ、図４Ｂ及び図５のＬＥＤは省略したことに注意されたい。図５の実施例において、組立体５６の中央位置にコリメータ素子は存在しない。所望の場合、関連する付加的なＬＥＤ及びコリメータ素子を設けることができるので、光は光軸に平行な方向でファイバに入射する。
【００４３】
図６は、図５に示すように、光エンジンに設けられる１８個のコリメータ素子３７、３７’......を線図的に示し、この組立体は本発明の光エンジンの第３の実施例を構成する。この光エンジンは、（金属）の冷却フィン２が設けられている（金属）のハウジング６１を具える。ハウジングの全体の寸法は１１ｃｍ×１０ｃｍ×１０ｃｍである。
【００４４】
ハウジング６１は１８個のＬＥＤ３３、３３’......の形態の光源を収納し、これらＬＥＤは金属コアのプリント回路基板（ＭＣ−ＰＣＢ）６４上に実装する。このＭＣ−ＰＣＢ６４は例えば熱伝導性接着剤により（金属）プレート６５上側に設ける。プレート６５はハウジング６１の一部であり、熱伝導性のコンタクトとなる。この構成により、ＬＥＤ３３、３３’......から発生した熱をＭＣ−ＰＣＢ６４、金属プレート６５及び冷却フィン６２を有するハウジング６１を介して外部に放散することができる。
【００４５】
赤及び緑のプロメテウス（Prometheus）型（ヒュレット−パッカード）の高効率高出力ＬＥＤを用い、光束は赤のＬＥＤについてはＬＥＤ当たり３５ｌｍとし、緑のＬＥＤについては３０ｌｍとする。高効率高出力ＬＥＤを用いることは、所望の比較的大きな光出力の場合に、ＬＥＤの数を少数にできる利点がある。これは、製造すべき光エンジンの小型化及び高効率化に寄与する。
【００４６】
ハウジング６１はさらにＬＥＤ３３、３３’......から発生した放射を指向させる光学系も具える。図６に示す実施例において、図５に示すように、光学系は１８個のコリメータ素子３７、３７’......の組立体を具える。コリメータ素子３７、３７’......の各々は図３に示す形状に射出成形された光学的に透明な合成樹脂（ＰＭＭＡ）から作られる。１８個のコリメータ素子３７、３７’......の各々は１８個のＬＥＤ３３、３３’......のうちの１つと関連し、ＬＥＤからの放射を平行にする。この光学系は、集束レンズ６８も具え、この好適実施例においては（正の）フレネルレンズとなるように構成する。集束レンズ６８により、コリメータ素子３７、３７’......により平行にされたＬＥＤ３３、３３’......からの放射は１点に入射する。図面を明瞭にするため、ＬＥＤ３３、３３’......から発生した光の放射光路は極めて線図的に示す。
【００４７】
さらに、ハウジング６１にはカップリングスリーブ６９を設け、１本の又は多数本の光ファイバを着脱自在に装着する。本発明はこの用途に限定されないことを明記する。開口６１’は接続ケーブルを通すように作用する。
【００４８】
さらに、ハウジング６１にはＬＥＤ３３、３３’......を駆動するために必要な駆動電子回路７０，７０’を設ける。本例において、駆動電子回路の一部は、ハウジング６１の一部を構成する（金属）プレート７５上に設ける。駆動電子回路の別の部分は、ハウジング６１の金属プレート７５と開口部６１’との間の空の空間に配置することができる。所望の場合、駆動電子回路はハウジング６１の外側に配置することもできる。
【００４９】
要約するに、本発明による光エンジンは、動作中少なくとも５ｌｍの光束を発生する光源としての少なくとも１個のＬＥＤを収納するハウジングと、光源から発生した放射を指向する光学系とを具え、この光エンジンにはＬＥＤを駆動する駆動電子回路を設ける。この光エンジンは、動作中に発生する放射熱及び／又はＵＶ光が、放電ランプ又はハロゲンランプが設けられている光エンジンよりも一層少量になる利点がある。本発明による光エンジンの光学系の一部は、例えばＰＭＭＡのような合成樹脂材料で作ることができる。
【００５０】
当業者にとって本発明の範囲内において種々の変形が可能であること明らかである。例えば、光電素子と称されている光放出ダイオード（ＬＥＤ）光電素子の代りに、光源として発光素子を用いることもできる。
【００５１】
本発明の保護範囲は上述した実施例に限定されるものではない。本発明は新規な構成として及び新規な構成の組合せとして構成することができる。請求の範囲の参照符号は本発明の範囲を制限するものではない。用語「具える」を用いることは、請求の範囲に記載された素子以外の素子の存在を除外するものではない。素子の前に記載された「ａ」又は「ａｎ」の語を用いることは、この素子が複数個存在することを除外するものではない。
【図面の簡単な説明】
【図１】  本発明による光エンジンの第１の実施例の断面図である。
【図２】  本発明による光エンジンの第２の実施例の断面図である。
【図３】  関連するコリメータ素子の実施例を有するＬＥＤを断面として示す。
【図４】  図３に示す３個のコリメータ素子の組立体の実施例の上面側の斜視図及び下面側の斜視図である。
【図５】  図３に示すコリメータ素子の１８個の組立体の実施例の側方からの斜視図である。
【図６】  図５に示す１８個のコリメータ素子の組立体が光エンジンに設けられている本発明による光エンジンの第３の実施例である。